(57)【特許請求の範囲】
【請求項１】
ＬＡＮ（Ｌｏｃａｌ Ａｒｅａ Ｎｅｔｗｏｒｋ）回線またはインターネットを介して、複数の画像配信装置からそれぞれ配信される符号化された複数の画像データを受信する画像受信システムであって、
受信された複数の画像データを表示するビデオモニタと、
前記受信した複数の画像データそれぞれを所定の画像形式に変換する画像入力インタフェースと、該変換された画像データを記憶する記憶装置と、該記憶された画像データを読み出して記憶するバッファメモリと、該バッファメモリの画像データを入力しビデオデータに復号するコーデックと、該復号されたビデオデータを所定の画像サイズに変換するスケーラと、該所定の画像サイズに変換されたビデオデータを少なくとも１つ読み込んで１フレーム分のビデオデータを記憶するフレームメモリとを備え、前記受信された複数の画像データを前記ビデオモニタに多画面表示するためのビデオデータを生成する受信装置とを備え、
前記受信装置の前記記憶装置は、前記ビデオモニタに多画面表示する画像数の２倍の画像データを書き込むデータ領域を有し、該データ領域の一方に前に書き込んだ画像データを保持し、現在書き込み中の画像データが書き込みを終了しないうちに前記バッファメモリに読み出すタイミングになったときには、前記書き込んだ画像データを読み出すことを特徴とする画像受信システム。
【請求項２】
請求項１記載の画像受信システムにおいて、
前記バッファメモリは、第１のバッファメモリと第２のバッファメモリであって、該第１のバッファメモリと第２のバッファメモリの一方が前記記憶装置から前記記憶された画像データを読み出して記憶するときに、他方が記憶した画像データを読み出すことを特徴とする画像受信システム。
【請求項３】
請求項１または請求項２のいずれかに記載の画像受信システムにおいて、
前記フレームメモリは、第１のフレームメモリと第２のフレームメモリであって、該第１のフレームメモリと第２のフレームメモリの一方が前記スケーラからビデオデータを読み出して記憶するときに、他方が記憶したビデオデータを読み出すことを特徴とする画像受信システム。
【請求項４】
請求項１乃至請求項３のいずれか１つに記載の画像受信システムにおいて、
前記受信装置は、前記受信された複数の画像データを１フレーム単位で処理することを特徴とする画像受信システム。
【請求項５】
請求項１乃至請求項４のいずれか１つに記載の画像受信システムにおいて、
前記画像入力インタフェース、前記記憶装置、前記バッファメモリ、前記コーデック、前記スケーラ、及び前記フレームメモリとを制御する制御手段を備え、
該制御手段は、前記画像入力インタフェースから入力する前記画像データの情報を解析し、前記コーデックまたは前記スケーラに、前記画像データまたはビデオデータの制御情報を供給することを特徴とする画像受信システム。
【請求項６】
請求項１乃至請求項５のいずれか１つに記載の画像受信システムにおいて、
前記受信装置は、ユーザの指示を入力し、該指示に応じた出力情報を出力するための入出力インタフェースを備え、
前記受信装置の前記制御装置は、ユーザの指示に応じて前記ビデオモニタに任意の画像配信装置を選択接続して前記受信された複数の画像データを表示することを特徴とする画像受信システム。
【発明の詳細な説明】
【０００１】
【発明の属する技術分野】
本発明は、LAN（ Local Area Network ）回線やインターネット等の通信インフラを使用して伝送されてくる画像データを、映像信号に変換しビデオモニタに表示する画像配受信技術に関するものである。
【０００２】
【従来の技術】
図４によって従来の画像データの伝送形態とビデオモニタに表示形態について説明する。図４は、従来の監視カメラシステムの構成を示すブロック図である。図４の上段のブロック構成は、監視カメラシステムの全体構成を示し、下段のブロック構成は、受信装置 10-1 〜 10-4 それぞれの内部構成を示す。受信装置 10-1 〜 10-4 それぞれは、ビデオエンコーダ（ A/D ）41 、スケーラ 42 、バッファメモリ 43 から成る。
図４において、撮像装置 200-1 は、監視視野範囲を撮像し、取得した画像を映像信号に変換して受信装置 10-1 に出力する。撮像装置 200-2 、200-3 、及び、200-4 も、同様に、それぞれの監視視野範囲を撮像し、取得した画像を映像信号に変換して受信装置 10-2 、10-3 、及び、10-4 に出力する。
【０００３】
受信装置 10-1 、10-2 、10-3 、及び、10-4 は、それぞれ、入力された映像信号を監視カメラシステムの多画面表示できる方式の画像データに変換し、変換した画像データをそれぞれ４画面多重部 60 に出力する。４画面多重部 60 は、入力された画像データから１画面データを生成しフレームメモリに格納し、ビデオエンコーダ（ D/A ）46 を通してビデオモニタ 50 に出力する。ビデオモニタ 50 は、入力された画像データを表示画面に表示する。
【０００４】
４画面切換器 600 は、ユーザの指示に応じて、ビデオモニタ 50 が表示する画像を切換える。例えば、ユーザの指示が、撮像装置 200-1 、200-2 、200-3 、及び、200-4 が取得した４つの画像すべてをビデオモニタ 50 に表示することであれば、ビデオモニタ 50 の表示画面の表示エリア 5-1 、5-2 、5-3 、及び、5-4 にそれぞれ、受信装置 10-1 、10-2 、10-3 、及び、10-4 から入力された画像が表示されるように画像データをビデオモニタ 50 に出力する。また例えば、ユーザの指示が、撮像装置 200-1 が取得した画像だけをビデオモニタ 50 に表示することであれば、ビデオモニタ 50 の表示画面の領域全体に、受信装置 10-1 から入力された画像が表示されるように画像データをビデオモニタ 50 に出力する。また例えば、ユーザの指示が、撮像装置 200-1 と撮像装置 200-3 とがそれぞれ取得した画像をビデオモニタ 50 に表示することであれば、ビデオモニタ 50 の表示画面の、例えば、表示エリア 5-1 と 5-3 を合せた表示領域に、受信装置 10-1 から入力された画像が表示され、表示エリア 5-2 と 5-4 を合せた表示領域に、受信装置 10-3 から入力された画像が表示されるように画像データをビデオモニタ 50 に出力する。
【０００５】
上述の説明では、監視カメラシステムを説明した。しかし、映像信号や画像データを画像データ出力装置によって受信装置に出力し、それを受信して多画面表示するような画像配受信システムであれば監視カメラシステムに限る必要はない。
更に上述の説明では、画像データを受信装置に送信する画像データ出力機器として撮像装置を例にとって行った。しかし、画像データを受信装置に送信する機器、即ち、画像配信装置は、撮像装置に限らず、画像データを出力する装置であれば限定する必要はない。その場合、出力される画像データの形式には、NTSC 方式や PAL 方式の映像信号の他、MPEG 、JPEG 等の画像圧縮データ等、種々考えられるが、それぞれに結合された受信装置が、それらの画像形式をシステムに必要な画像形式に変換できるようにしてあれば良い。
【０００６】
次に、図３によって、従来の複数の画像データを LAN（ Local Area Network ）回線またはインターネット等のネットワーク回線をから受信し、ビデオモニタに表示する画像配受信システムを説明する。図３は、WEB（ World Wide Web ）画像データ受信ビデオ信号出力装置４台、４画面切換器１台、及び、ビデオモニタ１台を用いた従来の画像配受信システムの構成を示すブロック図である。
WEB 受信装置 100-1 、100-2 、100-3 、100-4 は、それぞれ、LAN 回線 3 に結合している。また、LAN 回線 3 は、画像配信装置にも結合している。即ち、画像配信装置としての配信サーバ 21-1 、‥‥‥、21-k（ k は、自然数） 、及び、WEB 配信装置 20-1 、20-2 、‥‥‥、20-n が LAN 回線 3 に結合している（ n は、自然数）。更にまた、配信サーバ 22-1 、‥‥‥、22-m が、インターネット 4 を介して、LAN 回線 3 に結合している（ m は、自然数）。
【０００７】
図３の例では、配信サーバ 22-1 、‥‥‥、22-m は、インターネット 4 と LAN 回線 3 を介して WEB 受信装置 100-1 、100-2 、100-3 、100-4 に結合されている。しかし、 LAN 回線 3 を介さず、配信サーバ 22-1 、‥‥‥、22-m が、インターネット 4 だけを介して WEB 受信装置 100-1 、100-2 、100-3 、100-4 が直接結合されていても良い。
また、配信サーバまたは WEB 配信装置のいずれかだけが接続されていても良いし、他の画像配信装置であっても良いし、それらの組合せであっても良い。例えば、図３で示した画像データ出力機器は、例えば、撮像装置であり、WEB 配信装置、あるいは、配信サーバである。WEB 配信装置または配信サーバは、撮像装置からの映像信号出力を入力されても良いし、VTR 等の画像再生装置またはハードディスク等の画像データ蓄積装置から取得しても良い。
【０００８】
WEB 受信装置 100-1 、100-2 、100-3 、100-4 は、それぞれ、ユーザの指示に応じて、LAN 回線 3 またはインターネット 4 に接続されている WEB 配信装置 20-1 、20-2 、‥‥‥、20-n 、または、配信サーバ 21-1 、‥‥‥、21-k 、あるいは、配信サーバ 22-1 、‥‥‥、22-m いずれか１つとの接続を選択する。
例えば、ユーザの指示に応じて、WEB 受信装置 100-1 と配信サーバ 21-1 、WEB 受信装置 100-2 と配信サーバ 22-1 、WEB 受信装置 100-3 と WEB 配信装置 20-1 、及び、WEB 受信装置 100-4 と WEB 配信装置 20-2 とがそれぞれ接続される。
【０００９】
また、ユーザの指示に応じて、WEB 受信装置 100-1 、100-2 、100-3 、100-4が出力する画像を表示する位置をビデオモニタ 5 の表示位置 5-1 、5-2 、5-3、及び、5-4 から選択する。
図３は、ビデオモニタ 5 の表示を４画面に分割して、分割された４画面それぞれに、別々の画像配信装置から与えられる画像データを表示する場合であり、WEB 受信装置 100-1 、100-2 、100-3 、100-4 それぞれに、別々の画像配信装置からそれぞれ画像データが伝送される。そして例えば、WEB 受信装置 100-1 の画像データが表示位置 5-1 に、WEB 受信装置 100-2 の画像データが表示位置 5-2 に、WEB 受信装置 100-3 の画像データが表示位置 5-3 に、及び、WEB 受信装置 100-4 の画像データが表示位置 5-1 にそれぞれ表示される。
【００１０】
WEB 受信装置 100-1 、100-2 、100-3 、100-4 は、それぞれ、配信サーバ 21-1 、22-1 、WEB 配信装置 20-1 、20-2 と選択接続を行い、受信した画像データを解凍し、４画面切換器 600 に出力する。
４画面切換器 600 は、WEB 受信装置 100-1 、100-2 、100-3 、100-4 から映像信号を順次入力し、ビデオモニタ 5 の多画面分（図３では４画面）、即ち、表示エリア 5-1 〜5-4 にそれぞれ表示できるサイズにスケーリングを行い、多画面分のビデオデータが揃ったところで、１つの画像としてビデオモニタ 5 に出力する。
ビデオモニタ 5 は、４画面切換器 600 から画像を受取り、表示画面に表示する。このとき、４画面切換器 600 から入力される画像データは、表示エリア 5-1 、5-2 、5-3 、及び、5-4 の全てに表示される１つの画像であり、ビデオモニタ 5 に表示される画像は、４画面切換器 600 から画像が入力される都度更新される。
【００１１】
【発明が解決しようとする課題】
前述の従来技術には、Point to point の接続が一般的であり、画像データを出力する機器（画像配信装置）１台に対して、対応する受信装置が１台必要であった。更に、多画面表示するためには、４画面切換器等の多画面切換器が必要であった。従って、画像配信装置が複数あって、その中から任意の機器の出力する画像データを同時に見たい場合には、同時に見たい画像配信装置の全てに対応して１台ずつ受信装置を必要とし、それらの受信装置の数に対応する切換チャネル数を備えた切換器を必要とする欠点があった。
【００１２】
また、画像配信装置それぞれをパーソナルコンピュータに結合し、パーソナルコンピュータを受信装置及び画像切換器として用いて、任意の画像データ出力機器の画像をビデオモニタまたはパーソナルコンピュータの表示画面に表示することも可能であるが、一般的にパーソナルコンピュータの動作が不安定であり、フリーズやハングアップすることが多く、緊急時にフリーズやハングアップが発生するとその時点での画像を見ることができず、また、再起動にも人手や時間がかかる欠点があった。
【００１３】
また前述の従来技術には、配信サーバ等の各画像配装置から送信される画像が他のシステムまたは他の WEB 受信装置などで使用されている場合があり、画像配信装置側で配信先に応じて画像サイズの変更ができない欠点がある。そのため、WEB 受信装置側では、受信した画像サイズのスケーリング機能が必要となり、画像配信装置毎、または、画像ごとに画像サイズ情報を読取り符号化されたデータならば解凍の設定とスケーリングの設定をする必要がある。
また、インターネットを介した画像配信装置は、LAN 回線に直接接続された画像配信装置と比較すると、画像データ転送能力に大きな違いが発生することがある。このとき、ビデオモニタの更新レートを、インターネットを介したような伝送レートが一番小さい画像配信装置に合わせると、ビデオモニタ全体の画像更新レートが小さくなる欠点がある。
【００１４】
本発明の目的は、上記のような欠点を除去し、従来技術のハード構成数を削減し画像配信装置の数によらず、しかも安定な動作をする所望の画像配信装置からの画像データを取得することができる画像受信システムを提供することにある。また本発明の別の目的は、上記のような欠点を除去し、画像配信装置からの画像サイズによらず、かつビデオモニタの更新レートを、伝送レートが一番小さい画像配信装置に合せる必要がなく、ビデオモニタ全体の画像更新が早い画像受信システムを提供することにある。
【００１５】
【課題を解決するための手段】
上記の目標を達成するため、本発明の画像受信システムは、多画面切換器を使用せず一つのビデオモニタに多画面表示する。
また、本発明の画像受信システムは、Point To Point の接続から Pint To Multipoint の選択接続を可能とし一つのビデオモニタに多画面表示する。即ち、本発明の画像受信システムは、LAN（ Local Area Network ）回線またはインターネットを介して、複数の画像配信装置からそれぞれ配信される符号化された複数の画像データを受信する画像受信システムであって、受信された複数の画像を表示するビデオモニタと、該ビデオモニタに、前記受信された複数の画像データを多画面表示するためのビデオデータを生成する受信装置とを備え、前記受信された複数の画像データを前記ビデオモニタに多画面表示するものである。
【００１６】
また、本発明の画像受信システムは、前記受信装置は、前記 LAN 回線またはインターネットを介して受信した、前記複数の画像配信装置からそれぞれ配信される複数の画像データそれぞれを所定の画像形式に変換する画像入力インタフェースと、該変換された画像データを記憶する記憶装置と、該記憶された画像データを読み出して記憶するバッファメモリと、該バッファメモリの画像データを入力しビデオデータに復号するコーデックと、該復号されたビデオデータを所定の画像サイズに変換するスケーラと、該所定の画像サイズに変換されたビデオデータを少なくとも１つ読み込んで１フレーム分のビデオデータを記憶するフレームメモリとを備えたものである。
【００１７】
また、本発明の画像受信システムは、前記バッファメモリは、第１のバッファメモリと第２のバッファメモリであって、該第１のバッファメモリと第２のバッファメモリの一方が前記記憶装置から前記記憶された画像データを読み出して記憶するときに、他方が記憶した画像データを読み出すことを特徴とする。
また、本発明の画像受信システムは、前記フレームメモリは、第１のフレームメモリと第２のフレームメモリであって、該第１のフレームメモリと第２のフレームメモリの一方が前記スケーラからビデオデータを読み出して記憶するときに、他方が記憶したビデオデータを読み出すことを特徴とする。
【００１８】
また、本発明の画像受信システムの前記前記記憶装置は、前記ビデオモニタに多画面表示する画像数の２倍の画像データを書き込むデータ領域を有し、該データ領域の一方に前に書き込んだ画像データを保持し、現在書き込み中の画像データが書き込みを終了しないうちに前記バッファメモリに読み出すタイミングになったときには、前記書き込んだ画像データを読みだすことを特徴とする。
また、本発明の画像受信システムの前記受信装置は、前記受信された複数の画像データを１フレーム単位で処理することを特徴とする。
【００１９】
また、本発明の画像受信システムは、前記画像入力インタフェース、前記記憶装置、前記バッファメモリ、前記コーデック、前記スケーラ、及び前記フレームメモリとを制御する制御手段を備え、該制御手段は、前記画像入力インタフェースから入力する前記画像データの情報を解析し、前記コーデックまたは前記スケーラに、前記画像データまたはビデオデータの制御情報を供給するものである。また、本発明の画像受信システムの前記受信装置は、ユーザの指示を入力し、該指示に応じた出力情報を出力するための入出力インタフェースを備え、前記受信装置の前記制御装置は、ユーザの指示に応じて前記ビデオモニタに任意の画像配信装置を選択接続して前記ビデオモニタに前記受信された複数の画像データを表示するものである。
【００２０】
【発明の実施の形態】
図１によって、本発明の一実施例を説明する。
図１は、本発明の画像配受信システムの一実施例の構成を示すブロック図である。図１は、図３に示した従来の画像配受信システムの構成における、４台のWEB 受信装置 100-1 〜100-4 と１台の４画面切換器 600 に替えて、１台の WEB 受信装置 1-1 を備えたものである。また、LAN 回線 3 には、別の少なくとも１台以上の受信装置（ WEB 受信装置 1-2 で代表している）が結合されている。 WEB 受信装置 1-1 は、ビデオモニタ 50 に結合されている。
【００２１】
図１において、WEB 画像データ受信ビデオ信号出力装置（ WEB 受信装置）1-1は、LAN 回線 3 またはインターネット 4 に接続されている画像配信装置 2-1 ，2-2 ，‥‥‥，2-m（ m は自然数）または、WEB 配信装置 20-1 ，20-2 〜 20-n 、配信サーバ 21-1 〜 21-k 、22-1 〜 22-m の中から接続を選択する。また、ビデオモニタ 5 の表示エリア 5-1 〜 5-4 から、表示エリアを選択する。図１は、４画面の表示を行う場合であるので、表示エリア 5-1 〜 5-4 それぞれ１つずつの選択した４つの画像配信装置（配信サーバまたはWEB 配信装置）それぞれの画像を表示する。
【００２２】
WEB 受信装置 1-1 は、画像配信装置から選択接続を行い、受信した画像データを解凍し、ビデオモニタ 5 の多画面表示する表示エリア 5-1 〜 5-4 に表示できるビデオデータサイズにスケーリングを行う。
多画面分（図１では４画面）の画像データの解凍処理およびスケーリング処理を施されたビデオデータは、フレームメモリ（後述）に格納され、４画面分のビデオデータが揃ったならば、その時点でビデオモニタ 5 の表示の更新を行う。
【００２３】
各画像配信装置から送られる画像の画像サイズは、他の画像受信装置、例えば、WEB 受信装置 1-2 などで使用されている場合があり、画像配信装置側で画像サイズの変更できないこともある。そのため、WEB 画像受信装置 1-1 には、画像サイズのフレキシブルなスケーリング機能が必要となり、画像配信装置側から伝送される画像について、受信される画像ごとに画像サイズ情報を読取り、かつそれが符号化されたデータならば解凍してから、スケーリングの設定をする必要がある。
【００２４】
また、配信サーバ 22-1 〜 22-m は、インターネット 4 から LAN 回線 3 を通り、WEB 受信装置 1-1 と接続しているため、LAN 回線 3 に直接接続されている画像配信装置（ WEB 配信装置 20-1 、20-2 〜 20-n 、配信サーバ 21-1 〜 21-k ）と比較すると、画像データの伝送能力に大きな違いが発生することが多い。
このとき、４画面分のビデオデータが揃った時点で、フレームメモリの更新を行うという理由から、ビデオモニタの表示の更新を一番伝送能力（伝送レート）が小さい画像配信装置（ 例えば、配信サーバ 22-1 ）に合せると、ビデオモニタ 5 の表示画像更新レートが非常に遅くなる。
このように、配信能力および伝送能力（または、転送能力）が低い接続となる場合については、例えば、前回使用した画像データを再使用することで全体の画像表示更新レートを維持する等の処理を行う。
【００２５】
図２によって、図１の WEB 受信装置 1-1 のハード構成の一実施例を説明する。図１は、本発明の WEB 受信装置の一実施例の構成を示すブロック図である。
CPU（ Central Processing Unit ）11 は、あらかじめ格納されたプログラムに従って、WEB 受信装置 1-1 のそれぞれの構成要素を制御する。図２では、CPU 11 とWEB 受信装置 1-1 のそれぞれの構成要素とを結ぶデータバス等の信号線を省略している。
入出力インタフェース（ I/F ）7 は、図示しない入力装置または入力端子から制御情報を与えられ、与えられた制御情報を CPU 11 に供給する。また、本受信装置は、サーバ機能を有するので、LAN 回線よりホームページ等のブラウザ機能を利用して制御することも可能である。CPU 11 は、入力された制御情報を基にあらかじめ格納されたプログラムに従って、WEB 受信装置 1-1 を制御し、入力される画像データを処理する。 CPU 11 からアクセスするための信号路は、特に図示していない。
また、入出力 I/F 7 は、配信装置及び CPU 11 からの出力情報を受取り、図示しない出力機器（例えば、モニタ、スピーカ、出力端子等）に出力する。
【００２６】
LAN インタフェース（ I/F ）10 は、LAN 回線 3 またはインターネット 4 からの符号化された画像データを入力し、WEB 受信装置で処理できる画像形式に変換して CPU 11 に出力する。CPU 11 は、入力された画像データを記憶装置 12 に１度書き込み、必要に応じて読み出し、バッファ（ BUF ）メモリ 13-1 または 13-2 に出力する。記憶装置 12 は、例えば、SDRAM（ Synchronous Dynamic Random Access Memory ）である。
【００２７】
LAN I/F 10 は、LAN 回線 3 またはインターネット 4 からの符号化された画像データを１フレーム単位で入力し、記憶装置 12 もまた１フレーム単位で画像データを保管する。即ち、LAN I/F 10 は、LAN 回線 3 またはインターネット 4からの符号化された画像データを１フレーム単位で入力し、記憶装置 12 もまた１フレーム単位で画像データを保管する。記憶装置 12 では、ビデオモニタ 5の表示エリア 5-1 、5-2 、5-3 、5-4 それぞれについて２つの記憶領域を備えており、それぞれ１フレーム分の画像データを保管する。
【００２８】
記憶装置 12 は、例えば、図５に示すようなデータ構造を備えている。図５は、本発明に使用する記憶装置のデータ構造の一実施例を説明するための図である。例えば、データ領域 51-1 には、既に表示エリア 5-1 に表示するための画像データが保管されており、データ領域 51-2には現在 LAN I/F 10 を介して画像データが入力されている途中であるとする。このとき、データ領域 52-1 と52-2には、表示エリア 5-2 に表示するための画像データが１フレーム分ずつ保管されていて、保管された時刻が新しいデータ領域には“有効”というフラッグが立てられている。同様に、データ領域 53-1 と53-2 には、表示エリア 5-3 に表示するための画像データが１フレーム分ずつ保管されていて、保管された時刻が新しいデータ領域には“有効”というフラッグが立てられている。また同様に、データ領域 54-1 と54-2 には、表示エリア 5-4 に表示するための画像データが１フレーム分ずつ保管されていて、保管された時刻が新しいデータ領域には“有効”というフラッグが立てられている。
【００２９】
次に LAN I/F 10 を介して新しい画像データが保管される場合には、該当する２つのデータ領域（例えば、表示エリア 5-2 に表示するための画像データであれば、データ領域 52-1 か 52-2 ）のうち、“有効”というフラッグの立っていないデータ領域（図５の例では、データ領域 52-1 ）に新しい画像データが上書きされる。
もし、画像データが１フレーム分保管されないうちに、BUF メモリ 13-1 または 13-2 に読み出す命令がある場合には、CPU 11 は、“有効”というフラッグが立てられているというフラッグが立てられているデータ領域（図５の例では、データ領域 52-2 ）から再度画像データを読み出して出力する。
CPU 11 が、 LAN I/F 10 を介して新しい画像データを入力し記憶装置 12 に保管する時間は、LAN 回線 3 またはインターネット 4 から入力される画像データの伝送レートに依存する。
【００３０】
また、CPU 11 が、画像データを記憶装置 12 から読み出し、BUF メモリ 13-1または 13-2 に読み出すタイミング、及び、それ以降の動作タイミングは、ビデオモニタに出力するビデオエンコーダ 19 が出力する垂直同期パルス VSYNC のタイミングに同期している。ビデオエンコーダ 19 は、例えば、NTSC エンコーダである。ビデオエンコーダ 19 から他の回路ユニットに垂直同期パルス VSYNC を供給するための信号路は、図示していない。
例えば、NTSC 方式の場合は、垂直同期パルス VSYNC のタイミング周期は約 15 msec であり、この周期に同期して BUF メモリ 13-1 と 13-2 との切換え、フレームメモリ 17-1 と 17-2 の切換え等、CPU 11 以降の回路ユニットについての処理が行われる。
【００３１】
BUF メモリ 13-1 と 13-2 は、それぞれ、入力される都度画像データを書き込む。そして、BUF メモリ 13-1 と 13-2 は、それぞれ、書き込まれた画像データを読み出して、セレクタ 14に出力する。セレクタ14 は、BUF メモリ 13-1 または 13-2 のいずれかから画像データが入力されるように制御して、入力された画像データをコーデック（ CODEC ）15 に出力する。コーデック 15 は、入力された画像データを処理した後 CPU11 に次の処理内容を問い合わせるための割り込み信号を送り、入力された画像データの画像サイズ等の制御情報を取得し、取得した制御情報を基に入力された画像データを読み出しながら符号化された画像データをビデオデータに変換する。このとき、もし画像データが圧縮されたデータであったなら、伸長してから変換する。
【００３２】
ビデオデータとして変換された画像データは、スケーラ（ Scaler ）16 に出力される。スケーラ16 は、入力された画像データを処理した後、コーデック 15 が CPU11 に次の処理内容を問い合わせのための割り込み信号を送り、入力された画像データの多画面表示するためのスケーリング情報とビデオモニタへの表示位置の情報等の制御情報を CPU 11 から取得し、取得した制御情報を基に入力されたビデオデータを処理し、フレームメモリ 17-1 または 17-2 の適当な位置にビデオデータを書き込む。
【００３３】
これらの動作中も LAN I/F 10 は常時画像データの受信を継続し、記憶装置 12 に格納し、デコーダ 15 が読み出しをしていない BUF メモリ 13-2（または、BUF メモリ 13-1 ）に画像データを書き込む。BUF メモリ 13-2（または、BUF メモリ 13-1 ）に書き込みを終了した CPU 11 は、デコーダ 15 の次の処理、即ち、BUF メモリ 13-1（または、 BUF メモリ 13-2 ）の読み出し終了待ちとなる。BUF メモリ 13-1（または、 BUF メモリ 13-2 ）を読み出した デコーダ 15 は、セレクタ 14 により BUF メモリ 13-2（または、BUF メモリ 13-1 ）の読み出しに移行する。
【００３４】
フレームメモリ 17-1 、17-2 には、４画面分のビデオデータが格納される。また、セレクタ 18 はフレームメモリ 17-1 、17-2 に４画面分のビデオデータが揃ったときに切換えを行いビデオモニタ 50 の表示の更新を行う。従って、フレームメモリ 17-1 、17-2 の切換周期は、４画面分のビデオデータが揃う周期になる。
しかし、フレームメモリ 17-1 または 17-2 に常に新しい４画面分のビデオデータが格納されるのを待ってフレームメモリ 17-1 、17-2 の切換を行うと、ビデオモニタ 50 の表示の更新は配信能力および転送能力の低い接続に支配されるので、配信能力および転送能力の低い接続については、記憶装置 12 に前の画像データを保存しておき、ビデオモニタ 50 の表示の更新に応じて前の画像データをビデオデータに変換しフレームメモリ 17-1 または 17-2 に書き込みビデオモニタ 50 の表示の更新を行うことで配信能力および転送能力の高い接続の映像更新レートを維持する。
【発明の効果】
以上のように、本発明によれば、LAN 回線やインターネットの通信インフラで配信される画像データを多画面切換器を使用せず１つのビデオモニタに多画面表示することができシステム機器構成を削減できる。
また、Point To Point の接続から Point To Multipoint の選択接続を可能とし１つのビデオモニタに多画面表示できる。
【図面の簡単な説明】
【図１】  本発明の画像配受信システムの一実施例の構成を示すブロック図。
【図２】  本発明の WEB 受信装置の一実施例の構成を示すブロック図。
【図３】  従来の画像配受信システムの構成を示すブロック図。
【図４】  従来の監視カメラシステムの構成を示すブロック図。
【図５】  本発明の記憶装置のデータ構造の一実施例を説明するための図。
【符号の説明】
1-1，1-2：WEB 受信装置、  3：LAN 回線、  4：インターネット、  5-1 〜 5-4：表示エリア、  7：入出力 I/F、  10-1 〜 10-4：受信装置、  11：CPU、  12：記憶装置、  13-1，13-2：BUF メモリ、14：セレクタ、  15：コーデック、  16：スケーラ、  17-1，17-2：フレームメモリ、  18：セレクタ、  19：ビデオエンコーダ、  20-1 ，20-2 〜 20-n：WEB 配信装置、  21-1 〜 21-k：配信サーバ、  22-1 〜 22-m：配信サーバ、  50：ビデオモニタ、  60：４画面多重部、  100-1 〜 100-4：WEB 受信装置、  200-1 〜 200-4：撮像装置、  600：４画面切換器。
【図１】
0003828010.tif 000002
【図２】
0003828010.tif 000003
【図３】
0003828010.tif 000004
【図４】
0003828010.tif 000005
【図５】
0003828010.tif 000006